(57)【要約】【課題】本発明は、制御装置が複数の識別装置と通信できることを目的としている。【解決手段】本発明は、この課題を解決するために、ＲＳ−２３２Ｃ形式の第一信号Ｓ１を入出力する第一信号端子部１２１と、マルチドロップバスに適応した第二信号Ｓ２を入出力する識別部１２３Ａと、第一信号端子部１２１から入力された第一信号Ｓ１を第二信号Ｓ２へ変換して、識別部１２３Ａへ出力し、かつ識別部１２３Ａから入力された第二信号Ｓ２を第一信号Ｓ１へ変換して、第一信号端子部１２１へ出力する信号変換部１２２と、信号変換部１２２および識別部１２３Ａと電気的に接続されて、第二信号Ｓ２を入出力する第二信号端子部１２４を含んでいる。これにより、第一信号端子部１２１へ制御装置５１１を接続し、第二信号端子部１２４へ識別装置１２Ｂを接続すれば、制御装置は、信号変換部１２２を介して識別部１２３Ａや識別装置１２Ｂと通信できる。【選択図】図１
2017224145.tif 000002
【特許請求の範囲】
【請求項１】
ＲＳ−２３２Ｃ規格のＲＸｄとＴＸｄのデータ形式に準拠した第一信号を入出力する第一の第一信号端子部と、
マルチドロップバスに適応した第二信号を入出力する第一の識別部と、
前記第一信号端子部から入力された前記第一信号を前記第二信号へ変換して、前記第一の識別部へ出力し、かつ前記第一の識別部から入力された前記第二信号を前記第一信号へ変換して、前記第一の第一信号端子部へ出力する第一の信号変換部と、
前記第一の信号変換部および前記第一の識別部と電気的に接続されて、前記第二信号を入出力する第一の第二信号端子部と、
を含む第一の識別装置を、備えた、
識別システム。
【請求項２】
前記第一の識別部と前記第一の信号変換部が収納された筐体を、さらに備えた、
請求項１記載の識別システム。
【請求項３】
前記第二信号は、
ＭＤＢ／ＩＣＰ規格のモードビットを除き、前記ＭＤＢ／ＩＣＰ規格に準拠した、
請求項１記載の識別システム。
【請求項４】
前記第二信号は、
前記ＭＤＢ／ＩＣＰ規格のデータ形式に対して、前記第二信号のバイト長データを、さらに含む、
請求項３記載の識別システム。
【請求項５】
前記第二信号は、
前記ＭＤＢ／ＩＣＰ規格のデータ形式に対してパリティビットを、さらに含む、
請求項３記載の識別システム。
【請求項６】
前記第一の第二信号端子部は、
Ｔｘ端子と、非接続端子を有したＭＤＢ／ＩＣＰ規格に適合のコネクタであり、前記ＭＤＢ／ＩＣＰ規格として使用される際のＴｘ端子を前記非接続端子として用い、前記ＭＤＢ／ＩＣＰ規格として使用される際の非接続端子を前記Ｔｘ端子として用いた、
請求項１記載の識別システム。
【請求項７】
前記第二信号は、第一フレーム信号と、第一フレームの後で送信される第二フレーム信号とを含み、前記第一フレーム信号と前記第二フレーム信号との間に設けられた時間間隔は、ＭＤＢ／ＩＣＰ規格で規定されたバイト信号の間の時間よりも大きい、
請求項１記載の識別システム。
【請求項８】
前記第二信号を入出力する第二の識別部と、
前記第二の識別部と電気的に接続された第二の第二信号端子部と、
を含む第二の識別装置を、さらに備え、
前記第一の第二信号端子部と前記第二の第二信号端子部は、
マルチドロップバスによって接続された、
請求項１記載の識別システム。
【請求項９】
前記第二の識別装置は、
前記第一信号を入出力する第二の第一信号端子部と、
前記第二の第一信号端子部から入力された前記第一信号を前記第二信号へ変換して、前記
第二の識別部と前記第二の第二信号端子部へ出力し、かつ前記第二の識別部または前記第二の第二信号端子部から入力された前記第二信号を前記第一信号へ変換して、前記第二の第一信号端子部へ出力する第二の信号変換部と、をさらに有した、
請求項８記載の識別システム。
【請求項１０】
前記第二信号を入出力する表示部と、
前記表示部と電気的に接続された第二の第二信号端子部と、
を含む表示装置を、さらに備え、
前記第一の第二信号端子部と前記第二の第二信号端子部は、
マルチドロップバスによって接続された、
請求項１記載の識別システム。
【発明の詳細な説明】
【技術分野】
【０００１】
本発明は、自動販売装置などに収納されて、貨幣やカード状データ担体などを識別する識別システムに関する。
【背景技術】
【０００２】
以下、従来の識別システムについて説明する。従来の識別システムを用いた自動販売装置は、制御装置と、従来の識別システムを含む。従来の識別システムは、複数の識別装置を含んでいる。制御装置と、それぞれの識別装置との間は、ＲＳ−２３２Ｃ規格によって通信している。そのために、自動販売装置は、制御装置と、送受信回路とを含んでいる。そして、制御装置とそれぞれの識別装置との間に送受信回路が設けられている。すなわち、識別装置の台数と同じ数だけの送受信回路が、制御装置に設けられている。したがって、制御装置は、識別装置の数だけの入出力ポートを有している構成である。なお、制御装置としては、たとえば汎用のパーソナルコンピュータが用いられる。
【０００３】
なお、この出願の発明に関連する先行技術文献情報としては、例えば、特許文献１が知られている。
【先行技術文献】
【特許文献】
【０００４】
【特許文献１】特開平８−１６１６０４号公報号公報
【発明の概要】
【発明が解決しようとする課題】
【０００５】
従来の識別システムにおいては、制御装置は、識別装置の台数と同じ数だけの送受信回路と、入出力ポートが必要となる。しかしながら、汎用のパーソナルコンピュータは、必ずしも識別装置の台数と同じ数だけのインタフェース回路と、入出力ポートを準備されていない。このような場合、識別装置に準備されている入出力ポートの数以上の識別装置を接続できない。
【課題を解決するための手段】
【０００６】
本第一の発明の識別システムは、ＲＳ−２３２Ｃ規格のＲＸｄとＴＸｄのデータ形式に準拠した第一信号を入出力する第一の第一信号端子部と、マルチドロップバスに適応した第二信号を入出力する第一の識別部と、第一信号端子部から入力された第一信号を第二信号へ変換して、第一の識別部へ出力し、かつ第一の識別部から入力された第二信号を第一信号へ変換して、第一の第一信号端子部へ出力する第一の信号変換部と、第一の信号変換部および第一の識別部と電気的に接続されて、第二信号を入出力する第一の第二信号端子部と、を含む第一の識別装置を、備えた、識別システムである。
【０００７】
かかる構成により、第一信号端子部に制御装置を接続し、第一の第二信号端子部に第二信号を入出力する他の識別装置を接続することによって、制御装置は、第一の信号変換部を介して他の識別部や他の識別装置と通信できる。したがって、制御装置に識別装置の台数と同じ数のインタフェース回路や、入出力ポートを準備しなくても、複数の識別装置と通信できる。
【０００８】
また、第一の識別部と第一の信号変換部が収納された筐体を、さらに備えた、識別システムである。
【０００９】
かかる構成により、識別部と第一の信号変換部とが一体になっているので、自動販売装置の組立の際にそれらの間を接続する作業が不要である。また、さらに、第一の識別部と第一の信号変換部との間を接続するための配線スペースや接続コネクタも使用する必要もないので、自動販売装置内のスペースを有効に利用できる。
【００１０】
また、第二信号は、ＭＤＢ／ＩＣＰ規格のモードビットを除き、ＭＤＢ／ＩＣＰ規格に準拠した、識別システムである。
【００１１】
かかる構成により、モードビットを使用しないので、信号変換部にマイコンを使用する必要がない。すなわち、信号変換部は、ハードウェアによって構成できる。したがって、信号変換部において信号の遅延が発生することを抑制できる。その結果、識別システムや、自動販売装置の応答性を向上できる。
【００１２】
また、第二信号は、ＭＤＢ／ＩＣＰ規格のデータ形式に対して、第二信号のバイト長データを、さらに含む、識別システムである。
【００１３】
かかる構成により、第二信号は、バイト長データを含むので、識別部で受信したデータの長さとバイト長データとを比較することで、通信信頼性が向上する。したがって、識別システムや自動販売装置の誤動作の発生を抑制できる。特に、識別部や制御装置がノイズなどで誤動作を生じた際に、それらが正常に復帰するまでの時間を短くできる。
【００１４】
また、第二信号は、ＭＤＢ／ＩＣＰ規格のデータ形式に対してパリティビットを、さらに含む、識別システムである。
【００１５】
かかる構成により、通信においてノイズが入った場合、ノイズが入ったことを検知できる。したがって、通信信頼性が向上する。
【００１６】
また、第一の第二信号端子部は、Ｔｘ端子と、非接続端子を有したＭＤＢ／ＩＣＰ規格に適合のコネクタであり、ＭＤＢ／ＩＣＰ規格として使用される際のＴｘ端子を非接続端子として用い、ＭＤＢ／ＩＣＰ規格として使用される際の非接続端子をＴｘ端子として用いた、識別システムである。
【００１７】
かかる構成により、誤ってＭＤＢ／ＩＣＰ規格の機器と接続しても、制御装置や識別システムが故障などを生じることを抑制できる。
【００１８】
また、第二信号は、第一フレーム信号と、第一フレームの後で送信される第二フレーム信号とを含み、第一フレーム信号と第二フレーム信号との間に設けられた時間間隔は、ＭＤＢ／ＩＣＰ規格で規定されたバイト信号の間の時間よりも大きい、識別システムである。
【００１９】
かかる構成により、通信の信頼性を向上できる。
【００２０】
また、第二信号を入出力する第二の識別部と、第二の識別部と電気的に接続された第二の第二信号端子部と、を含む第二の識別装置を、さらに備え、第一の第二信号端子部と第二の第二信号端子部は、マルチドロップバスによって接続された、識別システムである。
【００２１】
かかる構成により、制御装置は、信号変換部を介して第一の識別部および第二の識別部と通信できる。したがって、制御装置に識別装置の台数と同じ数の送受信回路と、入出力ポートを準備しなくても、複数の識別システムと通信できる。
【００２２】
また、第二の識別装置は、第一信号を入出力する第二の第一信号端子部と、第二の第一信号端子部から入力された第一信号を第二信号へ変換して、第二の識別部と第二の第二信号端子部へ出力し、かつ第二の識別部または第二の第二信号端子部から入力された第二信号を第一信号へ変換して、第二の第一信号端子部へ出力する第二の信号変換部と、をさらに有した、識別システムである。
【００２３】
かかる構成により、第一の識別装置と第二の識別装置は、同じ構成である。したがって、制御装置を第一の識別装置と第二の識別装置のいずれか一方に接続すれば、マルチドロップバスを介して、もう残りの識別装置と通信できる。その結果、制御装置を第一の識別装置と第二の識別装置のいずれに接続しても、制御装置は第一の識別部や第二の識別部の両方と通信することができる。
【００２４】
また、第二信号を入出力する表示部と、表示部と電気的に接続された第二の第二信号端子部とを含む表示装置をさらに備えており、第一の第二信号端子部と第二の第二信号端子部は、マルチドロップバスによって接続された識別システムである。
【００２５】
かかる構成により、制御装置は、第一の識別装置を介して表示部を制御できる。
【発明の効果】
【００２６】
本発明による識別システムによれば、第一の第一信号端子に制御装置を接続し、第一の第二信号端子部に第二信号を入出力する他の識別装置を接続することによって、制御装置は、第一の信号変換部を介して他の識別部や他の識別装置と通信できる。したがって、制御装置に識別装置の台数と同じ数のインタフェース回路や、入出力ポートを準備しなくても、複数の識別装置と通信できる。したがって、第一の第一信号端子に制御装置を接続し、第一の第二信号端子に第二信号を入出力する第二識別部を接続することによって、制御装置は、第一の信号変換部を介して第一の識別部や第二の識別部と通信できる。その結果、制御装置に識別装置の台数と同じ数の送受信回路と、入出力ポートを準備しなくても、複数の識別装置と通信する。ことができる。
【図面の簡単な説明】
【００２７】
【図１】本発明の実施の形態における自動販売装置の回路ブロック図
【図２】本発明の実施の形態における第一信号Ｓ１と第二信号Ｓ２およびＭＤＢ／ＩＣＰ規格のデータビット構成を示す図
【発明を実施するための形態】
【００２８】
以下、識別システム等の実施形態について図面を参照して説明する。なお、実施の形態において同じ符号を付した構成要素は同様の動作を行うので、再度の説明を省略する場合がある。
【００２９】
（実施の形態１）
本発明の識別システムを説明するに先立って、識別システムが収納された自動販売装置について説明する。図１は、自動販売装置の回路ブロック図である。自動販売装置５１は、制御装置５１１と、操作入力部５１３と、商品排出部５１４と、識別システム１１を含んでいる。制御装置５１１として、たとえば汎用のパーソナルコンピュータを使用できる。識別システム１１は、さらに表示装置５１２を含んでも良い。
【００３０】
識別システム１１は、硬貨と紙幣を含む貨幣やカード状のデータ担体の情報を読み取り、正偽を判定や、貨幣の額面や、担体の残高などを判定している。そしてこれらの情報は、制御装置５１１へと送信されている。また、商品の購入者の操作入力部５１３の操作によって、制御装置５１１は、購入者の購入したい商品を検知している。そして、制御装置
５１１は、識別システム１１によって商品を購入する代金の入金を検知すると、商品排出部５１４に対して、操作入力部５１３で選択された商品を排出するように指示している。さらに、つり銭の払い出しをすることが必要な場合、制御装置５１１は、識別システム１１に対し、つり銭を払いだす指示をしている。あるいは、購入者が、操作入力部５１３で、商品の購入を取止める旨の入力をした場合、制御装置５１１は、識別システム１１に対し、投入された金額を払い戻す旨を指示している。なお、制御装置５１１は、表示装置５１２に対して、たとえば入金された金額や、つり銭の金額などを表示させている。
【００３１】
以下、識別システム１１について説明する。識別システム１１は、識別装置１２Ａを含んでいる。識別装置１２Ａは、第一信号端子部１２１、信号変換部１２２、識別部１２３Ａ、第二信号端子部１２４を有している。
【００３２】
第一信号端子部１２１は、第一信号Ｓ１を入出力する。一方、第一の識別部１２３Ａは、第二信号Ｓ２を入出力する。信号変換部１２２は、第一信号端子部１２１から入力された第一信号Ｓ１を第二信号Ｓ２へ変換して、識別部１２３Ａへ出力している。さらに、信号変換部１２２は、識別部１２３Ａから入力された第二信号Ｓ２を第一信号Ｓ１へ変換して、第一信号端子部１２１へ出力している。なお、第一信号Ｓ１は、ＲＳ−２３２Ｃ規格のＲＸｄとＴＸｄのデータ形式に準拠している。一方、第二信号Ｓ２は、マルチドロップバスに適応したデータ形式である。そして、第二信号端子部１２４は、信号変換部１２２および識別部１２３Ａと電気的に接続されて、第二信号Ｓ２を入出力する。
【００３３】
以上の構成により、第一信号端子部１２１に制御装置５１１を接続し、第二信号端子部１２４に第二信号Ｓ２を入出力する他の識別装置を接続することによって、制御装置５１１は、信号変換部１２２を介して他の識別部や他の識別装置と通信できる。したがって、制御装置５１１に接続する識別装置の台数と同じ数のインタフェース回路や、入出力ポートを準備しなくても、制御装置５１１は複数の識別装置と通信できる。
【００３４】
以下、識別システムの具体的な構成について詳細に説明する。第一信号端子部１２１は、ＲＳ−２３２Ｃ規格に適合したコネクタである。第一信号端子部１２１は、たとえば筐体１２５の外部に設けられている。そして、第一信号端子部１２１と信号変換部１２２との間は、ケーブルによって接続されている。なお、第一信号端子部１２１は、筐体１２５内に収納されている構成でも良い。
【００３５】
第二信号端子部１２４は、たとえばＭｕｌｔｉ−Ｄｒｏｐ  Ｂｕｓ  ／  Ｉｎｔｅｒｎａｌ  Ｃｏｍｍｕｎｉｃａｔｉｏｎ  Ｐｒｏｔｏｃｏｌ（以下、ＭＤＢ／ＩＣＰ規格）に適合したコネクタを用いることができる。第二信号端子部１２４は、ＭＤＢ／ＩＣＰ規格に適合したコネクタに限られず、マルチドロップバスに対応した他の規格に適合するコネクタを用いても良い。なお、ＭＤＢ／ＩＣＰ規格は、Ｎａｔｉｏｎａｌ  Ａｕｔｏｍａｔｉｃ  Ｍｅｒｃｈａｎｄｉｓｉｎｇ  Ａｓｓｏｃｉａｔｉｏｎによって、貨幣識別装置などにおける標準化された通信規格である。
【００３６】
識別部１２３Ａは、たとえば硬貨を識別している。識別部１２３Ａは、さらに硬貨を収納する収納部や、払い出し機構などを含んでも良い。なお、識別部１２３Ａは、硬貨を識別する構成に限られず、紙幣を識別しても良い。この場合、識別部１２３Ａは、さらに紙幣を収納する収納部や、払い出し機構などを含んでも良い。あるいは、識別部１２３Ａは、データ担体に格納された情報を読み取って、識別しても良い。データ担体としては、たとえばＩＣカードなどである。
【００３７】
識別装置１２Ａは、さらに筐体１２５を備える。識別部１２３Ａと、信号変換部１２２は、筐体１２５に収納されている。以上の構成により、識別部１２３Ａと信号変換部１２
２とが一体になっているので、自動販売装置を組立てる際にそれらの間を接続する作業が不要である。また、さらに、識別部１２３Ａと信号変換部１２２との間を接続するための配線スペースや接続コネクタも使用する必要もないので、自動販売装置内のスペースを有効に利用できる。
【００３８】
識別システム１１は、さらに識別装置１２Ｂと、マルチドロップバス１４を含んでも良い。識別装置１２Ｂは、識別部１２３Ｂと、第二信号端子部１２４を含んでいる。そして識別装置１２Ｂの第二信号端子部１２４は、識別装置１２Ｂの第二信号端子部１２４とマルチドロップバス１４を介して接続されている。識別装置１２Ｂの第二信号端子部１２４は、識別部１２３Ｂと電気的に接続されている。この構成により、識別部１２３Ｂは、第二信号端子部１２４から第二信号Ｓ２を入出力できる。なお、識別部１２３Ａによってたとえば硬貨を識別している場合、識別部１２３Ｂは、たとえば紙幣を識別する。なお、識別部１２３Ｂは、紙幣を識別する構成に限られず、データ担体に格納された情報を読み取って、識別しても良い。あるいは、識別部１２３Ｂも硬貨を識別しても良い。なお、識別システム１１は、識別装置１２Ａと識別装置１２Ｂを含む構成に限られず、３つ以上の識別装置を含んでも構わない。
【００３９】
以上の構成により、制御装置５１１は、識別装置１２Ａの信号変換部１２２を介して識別部１２３Ａおよび識別部１２３Ｂと通信できる。したがって、制御装置５１１に識別装置の台数と同じ数の送受信回路と、入出力ポートを準備しなくても、複数の識別装置と通信できる。
【００４０】
識別装置１２Ｂは、さらに第一信号端子部１２１と、信号変換部１２２とを備えることが好ましい。以上の構成により、識別装置１２Ａと識別装置１２Ｂは、同じ構成である。すなわち、識別装置１２Ａと識別装置１２Ｂは、ともに第一信号端子部１２１で第一信号Ｓ１を入出力し、第二信号端子部１２４で第二信号Ｓ２を入出力できる。したがって、制御装置５１１をたとえば識別装置１２Ｂに接続しても、マルチドロップバス１４を介して、識別装置１２Ａと通信できる。その結果、制御装置５１１を識別装置１２Ａと識別装置１２Ｂのいずれに接続しても、制御装置５１１は識別部１２３Ａや識別部１２３Ｂの両方と通信することができる。
【００４１】
第二信号端子部１２４は、ＭＤＢ／ＩＣＰ規格に適合のコネクタを用いることができる。なお、ＭＤＢ／ＩＣＰ規格に適合のコネクタは、Ｔｘ端子と非接続端子を含んでいる。しかし、ＭＤＢ／ＩＣＰ規格に適合のコネクタを第二信号端子部１２４として用いる場合、ＭＤＢ／ＩＣＰ規格として使用される際のＴｘ端子を非接続端子として用いている。さらに、ＭＤＢ／ＩＣＰ規格として使用される際の非接続端子をＴｘ端子として用いている。以上の構成により、第二信号端子部１２４へ誤ってＭＤＢ／ＩＣＰ規格の機器を接続しても、制御装置５１１や識別システム１１が故障などを生じることを抑制できる。
【００４２】
識別システム１１は、さらに表示装置５１２を含んでも良い。この場合、表示装置５１２は、表示部５１２１と、第二信号端子部１２４を含んでいる。表示部５１２１は、第二信号Ｓ２を入出力できる。表示装置５１２の第二信号端子部１２４は、表示部５１２１と電気的に接続されている。そして、表示装置５１２の第二信号端子部１２４は、識別装置１２Ａの第二信号端子部１２４や、識別装置１２Ｂの第二信号端子部１２４とマルチドロップバス１４によって接続されている。
【００４３】
次に、識別システム１１で用いる第一信号Ｓ１と、第二信号Ｓ２について、図２を参照しながら詳しく説明する。図２は、第一信号Ｓ１と第二信号Ｓ２およびＭＤＢ／ＩＣＰ規格のデータビット構成を示す図である。第一信号Ｓ１は、スタートビットと、データビットと、パリティビットと、ストップビットとを含んでいる。なお、第一信号Ｓ１は、スタ
ートビットと、データビットと、パリティビットと、ストップビットで１フレームを形成している。スタートビットは、１ビットの信号である。データビットは、４から８ビットの信号である。パリティビットは、０または１ビットの信号である。ストップビットは、１または２ビットの信号である。
【００４４】
次に第二信号Ｓ２を説明するに先立って、ＭＤＢ／ＩＣＰ規格のデータビット構成について説明する。ＭＤＢ／ＩＣＰ規格に規定された信号の構成は、アドレスバイトと、データバイトによって１フレームのデータを構成している。アドレスバイトと、データバイトはともに１１ビットのデータである。アドレスバイトとデータバイトの信号の間には、時間Ｔ１が設けられている。そして、アドレスバイト及びデータバイトは、スタートビットと、データビットと、モードビットと、ストップビットとによって構成されている。なお、ＭＤＢ／ＩＣＰ規格において、スタートビットは１ビットであり、データビットは８ビットであり、モードビットは１ビットであり、ストップビットは１ビットの信号である。
【００４５】
ＭＤＢ／ＩＣＰ規格に準拠した信号変換部や識別部は、モードビットを使用して通信している。モードビットは、マイコンなどにおけるソフトウェア処理の中で使用されている。一方、第二信号Ｓ２は、ＭＤＢ／ＩＣＰ規格のモードビットを除き、ＭＤＢ／ＩＣＰ規格に準拠している。すなわち、識別部１２３Ａや識別部１２３Ｂは、モードビットを使用していない。したがって、信号変換部１２２にマイコンを使用する必要がない。すなわち、信号変換部１２２は、ハードウェアによって構成できる。したがって、信号変換部１２２において第一信号を第二信号へと変換する際の、遅延が抑制できる。その結果、識別システム１１や、自動販売装置５１の応答性を向上できる。
【００４６】
第二信号Ｓ２も、アドレスバイトと、データバイトによって１フレームのデータを構成している。第二信号Ｓ２のアドレスバイトやデータバイトは、ＭＤＢ／ＩＣＰ規格のデータ形式に対し、パリティビットを含むことが好ましい。この場合、第二信号Ｓ２は、ＭＤＢ／ＩＣＰ規格のモードビットに代えて、パリティビットを含んでいる。以上の構成により、通信においてノイズが入った場合に、制御装置５１１や識別部１２３Ａや識別部１２３Ｂは、通信信号内にノイズの侵入を検知できる。したがって、識別システム１１の通信信頼性が向上する。
【００４７】
第二信号Ｓ２の１フレームには、ＭＤＢ／ＩＣＰ規格のデータ形式に対して、第二信号Ｓ２の総バイト長を示すデータを含むバイトを含むことが好ましい。総バイト長は予め定めておけば、１フレーム全体のバイト数でも良いし、バイト長以降のデータ部だけのバイト数でも良い。この構成により、識別部１２３Ａや識別部１２３Ｂで受信したデータの長さとバイト長データとを比較することで、通信信頼性が向上する。したがって、識別システム１１や自動販売装置５１の誤動作の発生を抑制できる。特に、識別部１２３Ａや識別部１２３Ｂあるいは制御装置５１１がノイズなどで誤動作を生じた際に、それらが正常に復帰するまでの時間を短くできる。
【００４８】
この際、フレーム同士の間には、時間Ｔ２が設けられている。すなわち、制御装置５１１あるいは識別部１２３Ａあるいは識別部１２３Ｂは、１フレームの第二信号Ｓ２を送信した後で、Ｔ２以上を経過した後に、１フレームの第二信号Ｓ２を送信している。なお、時間Ｔ２は、ＭＤＢ／ＩＣＰ規格で規定されたバイト信号の間の時間Ｔ１よりも大きいことが好ましい。この構成により、制御装置５１１あるいは識別部１２３Ａあるいは識別部１２３Ｂは、受信したデータにおいて、１フレームのデータの開始ビットから終了ビットまでを正しく判定できる。したがって、識別システム１１の通信信頼性が向上する。
【００４９】
本発明は、以上の実施の形態に限定されることなく、種々の変更が可能であり、それらも本発明の範囲内に包含されるものであることは言うまでもない。
【産業上の利用可能性】
【００５０】
以上のように、本発明にかかる識別システムは、制御装置の送受信回路や入出力ポートを削減しても複数の識別装置と通信するという効果を有し、自動販売装置等として用いると有用である。
【符号の説明】
【００５１】
１１  識別システム
１２Ａ、１２Ｂ  識別装置
１４  マルチドロップバス
５１  自動販売装置
１２１  第一信号端子部
１２２  信号変換部
１２３Ａ、１２３Ｂ  識別部
１２４  第二信号端子部
１２５  筐体
５１１  制御装置
５１２  表示装置
５１３  操作入力部
５１４  商品排出部
５１２１  表示部
Ｓ１  第一信号
Ｓ２  第二信号
Ｔ１、Ｔ２  時間
【図１】
2017224145.tif 000003
【図２】
2017224145.tif 000004